(57)【要約】【課題】明るさの面内均一性及び収束性が高く、更なる薄型化が可能な導光板、この導光板を備える面光源装置及び透過型表示装置を提供する。【解決手段】導光板１３は、光が入光する入光面１３ａと、光が出光する出光面１３ｃと、出光面１３ｃに対向し、光を出光面１３ｃ側へ反射する反射面１３ｄとを備え、略平板状であり、反射面１３ｄには、単位光学形状１３２が入光面１３ａに直交する方向に複数配列されているものとした。この単位光学形状１３２は、反射面１３ｄ側に凸となる略四角柱形状であって、頂部となる頂面部１３３と、頂面部１３３を挟んで対向する位置に形成される２つの側面である斜面部１３４，１３５とを備え、その配列方向における頂面部１３３の寸法ｗが一定であって、その配列方向において入光面１３ａから離れるにつれて単位光学形状１３２の配列ピッチＰ２が次第に大きくなるものとした。【選択図】図１
2012164583.tif 000002
【特許請求の範囲】
【請求項１】
光が入光する側面である入光面と、
前記入光面に略直交し、光が出光する出光面と、
前記入光面に略直交し、かつ、前記出光面に対向し、光を前記出光面側へ反射する反射面と、
を備える略平板状の導光板であり、
前記反射面には、単位光学形状が前記反射面に沿って前記入光面に直交する方向に複数配列されて設けられており、
前記単位光学形状は、
前記反射面側に凸となる略四角柱形状であり、頂部となる頂面部と、前記頂面部を挟んで対向する位置に形成される側面である２つの斜面部とを有し、
その配列方向における前記頂面部の寸法が一定であって、その配列方向において前記入光面から離れるにつれて前記単位光学形状の配列ピッチが次第に大きくなること、
ことを特徴とする導光板。
【請求項２】
請求項１に記載の導光板において、
前記単位光学形状の前記入光面とは反対側の斜面部と該導光板のシート面とのなす角度は、０．３°以上３．０°以下であること、
を特徴とする導光板。
【請求項３】
請求項１又は請求項２に記載の導光板において、
前記単位光学形状の配列方向における前記頂面部の寸法の前記単位光学形状の配列ピッチに対する比は、０．１以上０．８以下であること、
を特徴とする導光板。
【請求項４】
請求項１から請求項３までのいずれか１項に記載の導光板において、
前記出光面には、前記単位光学形状の配列方向に直交する方向に、略三角柱状の単位プリズムが複数配列されて設けられていること、
を特徴とする導光板。
【請求項５】
請求項１から請求項４までのいずれか１項に記載の導光板と、
前記入光面に対向する位置に配置される光源部と、
前記導光板の出光面側に設けられ、前記導光板側に凸となる単位プリズムが前記単位光学形状の配列方向に平行な方向に複数配列されたプリズムシートと、
を備える面光源装置。
【請求項６】
請求項５に記載の面光源装置において、
前記光源部は１つであり、
前記単位光学形状間に形成される溝部は、その配列方向において非対称な形状であり、前記頂面部を挟んで対向する２つの前記斜面部のうち、前記入光面側の前記斜面部よりも他方側の前記斜面部の方が配列方向における寸法が大きいこと、
を特徴とする面光源装置。
【請求項７】
請求項５に記載の面光源装置において、
前記導光板の前記入光面に対向する面は、第２の入光面であり、
前記第２の入光面に対向する位置に配置される第２の光源部を備え、
前記単位光学形状間に形成される溝部は、前記単位光学形状の配列方向において対称な形状であること、
を特徴とする面光源装置。
【請求項８】
請求項５から請求項７までのいずれか１項に記載の面光源装置と、
前記面光源装置に背面から照明される透過型表示部と、
を備える透過型表示装置。
【発明の詳細な説明】
【技術分野】
【０００１】
本発明は、導光板と、これを備える面光源装置、透過型液晶表示装置に関するものである。
【背景技術】
【０００２】
ＬＣＤ（Ｌｉｑｕｉｄ  Ｃｒｙｓｔａｌ  Ｄｉｓｐｌａｙ）パネル等の透過型表示部を背面から面光源装置（バックライト）によって照明し、映像を表示する透過型表示装置が知られている。この面光源装置は、大きく分けて、光学部材の直下に光源を配置する直下型のものと、光学部材の側面側に光源が配置されるエッジライト型のものがある。このエッジライト型の面光源装置は、光源を光学部材の側面側に配置することから、直下型のものに比べて面光源装置をより薄型化できるため、近年広く用いられている。
【０００３】
エッジライト型の面光源装置では、導光板の側面（入光面）に対向する位置に光源が配置され、光源が発する光は入光面から導光板に入射し、導光板とこれに対向する面である反射面とで反射を繰り返しながら、入光面に略直交する方向（導光方向）へ進む。そして、導光板の反射面に設けられた拡散パターン等によって光の進行方向を変化させることにより、出光面の導光方向に沿った各位置から少しずつ光がＬＣＤパネル側へ出光していく（例えば、特許文献１，２参照）。
【先行技術文献】
【特許文献】
【０００４】
【特許文献１】特開平９−４３４３３号公報
【特許文献２】特開２００７−２２７４０５号公報
【発明の概要】
【発明が解決しようとする課題】
【０００５】
しかし、現状のエッジライト型の面光源装置は、導光方向における出射光量が十分に均一化されておらず、出光面の導光方向において、光源側が明るく、光源から離れるにつれて暗くなるという傾向がある。このような明るさの不均一さは、透過型表示装置に表示される映像の明るさの不均一さに繋がり、映像の品位の低下を招く。
【０００６】
特許文献１，２に示すような導光板では、反射面に光を拡散させる拡散パターンを付している。しかし、このような拡散パターンを付した導光板では、光が反射面で拡散反射されて出光するため、光の収束性が低下し、正面輝度が低下するという問題がある。また、光源側が厚く、導光方向に沿って薄くなる断面形状が楔型の導光板では、導光板の光源側の厚みが、更なる面光源装置及び透過型表示装置の薄型化の妨げとなる。そして、特許文献１，２には、薄型化と明るさの面内均一性の両立に関してなんら開示されていない。
【０００７】
本発明の課題は、明るさの面内均一性及び収束性が高く、更なる薄型化が可能な導光板、この導光板を備える面光源装置及び透過型表示装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、光が入光する側面である入光面（１３ａ，３３ａ，３３ｂ）と、前記入光面に略直交し、光が出光する出光面（１３ｃ）と、前記入光面に略直交し、かつ、前記出光面に対向し、光を前記出光面側へ反射する反射面（１３ｄ，２３ｄ，３３ｄ，４３ｄ）と、を備える略平板状の導光板であり、前記反射面には、単位光学形状（１３２，２３２，３３２，４３２）が前記入光面に直交する方向に複数配列されて設けられており、前記単位光学形状は、前記反射面側に凸となる略四角柱形状であり、頂部となる頂面部（１３３，２３３，３３３，４３３）と、前記頂面部を挟んで対向する位置に形成される側面である２つの斜面部（１３４，１３５，２３４，２３５，３３４，３３５，４３４，４３５）とを有し、その配列方向における前記頂面部の寸法（ｗ）が一定であって、その配列方向において前記入光面から離れるにつれて前記単位光学形状の配列ピッチ（Ｐ２，Ｐ３）が次第に大きくなること、を特徴とする導光板（１３，２３，３３，４３）である。
【０００９】
請求項２の発明は、請求項１に記載の導光板において、前記単位光学形状（１３２，２３２，３３２，４３２）の前記入光面（１３ａ，３３ａ，３３ｂ）とは反対側の斜面部（１３５，２３５，３３５，４３５）と該導光板のシート面とのなす角度（α）は、０．３°以上３．０°以下であること、を特徴とする導光板（１３，２３，３３，４３）である。
請求項３の発明は、請求項１又は請求項２に記載の導光板において、前記単位光学形状の配列方向における前記頂面部（１３３，２３３，３３３，４３３）の寸法（ｗ）の前記単位光学形状の配列ピッチ（Ｐ２，Ｐ３）に対する比は、０．１以上０．８以下であること、を特徴とする導光板（１３，２３，３３，４３）である。
請求項４の発明は、請求項１から請求項３までのいずれか１項に記載の導光板において、前記出光面（１３ｃ）には、前記単位光学形状（１３２，２３２，３３２，４３２）の配列方向に直交する方向に、略三角柱状の単位プリズム（１３１）が複数配列されて設けられていること、を特徴とする導光板（１３，２３，３３，４３）である。
【００１０】
請求項５の発明は、請求項１から請求項４までのいずれか１項に記載の導光板（１３，２３，３３，４３）と、前記入光面（１３ａ，３３ａ，３３ｂ）に対向する位置に配置される光源部（１２，３２Ａ，３２Ｂ）と、前記導光板の出光面側に設けられ、前記導光板側に凸となる単位プリズム（１４１）が前記単位光学形状の配列方向に平行な方向に複数配列されたプリズムシート（１４）と、を備える面光源装置（１０，３０）である。
請求項６の発明は、請求項５に記載の面光源装置において、前記光源部（１２）は１つであり、前記単位光学形状（２３２）間に形成される溝部は、その配列方向において非対称な形状であり、前記頂面部（２３３）を挟んで対向する２つの前記斜面部（２３４，２３５）のうち、前記入光面側の前記斜面部（２３４）よりも他方側の前記斜面部（２３５）の方が配列方向における寸法が大きいこと、を特徴とする面光源装置（１０）である。
請求項７の発明は、請求項５に記載の面光源装置において、前記導光板（３３）の前記入光面（３３ａ）に対向する面は、第２の入光面（３３ｂ）であり、前記第２の入光面に対向する位置に配置される第２の光源部（３２Ｂ）を備え、前記単位光学形状（３３２）間に形成される溝部は、前記単位光学形状の配列方向において対称な形状であること、を特徴とする面光源装置（３０）である。
請求項８の発明は、請求項５から請求項７までのいずれか１項に記載の面光源装置（１０，３０）と、前記面光源装置に背面から照明される透過型表示部（１１）と、を備える透過型表示装置（１，３）である。
【発明の効果】
【００１１】
本発明によれば、以下の効果を奏することができる。
（１）本発明による導光板は、略平板状であり、反射面に、単位光学形状が入光面に直交する方向に複数配列されて設けられており、単位光学形状は、反射面側に凸となる略四角柱形状であり、頂部となる頂面部と、頂面部を挟んで対向する位置に形成される側面である２つの斜面部とを有し、その配列方向における頂面部の寸法が一定であって、その配列方向において入光面から離れるにつれて単位光学形状の配列ピッチが次第に大きくなるものとした。
従って、光の出射光量が配列方向において均一となり、明るさの面均一性を向上できる。また、拡散パターン等を反射面には備えておらず、斜面によって光を反射するので、出光面から出射する光の単位光学形状の配列方向における収束性を向上できる。さらに、配列ピッチが変化するので、他の光学シートを積層した場合に生じやすいモアレを極力低減できる。また、この導光板は、略平板状であるので、面光源装置や表示装置に用いた場合に、厚みが大きく変化する楔形状の導光板に比べて薄型化が可能である。
【００１２】
（２）導光板は、単位光学形状の入光面とは反対側の斜面部と導光板のシート面とのなす角度が、０．３°以上３．０°以下であるので、光の出射光量が配列方向において均一となり、明るさの面内均一性を向上でき、また、出光面から出射する光の収束性を向上できる。
【００１３】
（３）導光板は、単位光学形状の配列方向における頂面部の寸法の単位光学形状の配列ピッチに対する比は、０．１以上０．８以下であるので、光の出射光量が配列方向において均一となり、明るさの面内均一性を向上でき、また、出光面から出射する光の収束性を向上できる。
【００１４】
（４）導光板は、出光面には、単位光学形状の配列方向に直交する方向に、略三角柱状の単位プリズムが複数配列されて設けられているので、単位プリズムの配列方向（単位光学形状の配列方向に直交する方向）における光の収束性を高めることができ、正面方向の輝度を高めることができる。
【００１５】
（５）本発明による導光板と、入光面に対向する位置に配置される光源部と、導光板の出光面側に設けられ、導光板側に凸となる単位プリズムが単位光学形状の配列方向に平行な方向に複数配列されたプリズムシートとを備える面光源装置であるので、正面輝度が高く、かつ、明るさの面均一性が高く、モアレを極力低減した良好な照明を行うことができる。また、面光源装置の薄型化が可能である。
【００１６】
（６）面光源装置は、光源部が１つであり、導光板の単位光学形状間に形成される溝部が、その配列方向において非対称な形状であり、頂面部を挟んで対向する２つの斜面部のうち、入光面側の斜面部よりも他方側の斜面部の方が配列方向における寸法が大きいので、入光面側で反射する光の量を低減し、効率よく明るさの均一性を向上させ、正面輝度の高い照明を行うことができる。
【００１７】
（７）面光源装置は、導光板の入光面に対向する面が、第２の入光面であり、第２の入光面に対向する位置に配置される第２の光源部を備え、単位光学形状間に形成される溝部が、単位光学形状の配列方向において対称な形状であるので、２灯式の面光源装置の場合にも、正面輝度が高く、明るさの面内均一性の高い良好な照明を行うことができる。
【００１８】
（８）本発明による面光源装置と、面光源装置に背面から照明される透過型表示部とを備える透過型表示装置であるので、正面輝度が高く、明るさの面内均一性が高く、モアレ等を極力低減した良好な映像を表示できる。また、透過型表示装置の薄型化が可能である。
【図面の簡単な説明】
【００１９】
【図１】第１実施形態の表示装置及び面光源装置の構成を示す図である。
【図２】第１実施形態の導光板の形状を説明する図である。
【図３】第１実施形態の導光板内を進む光の様子を示す図である。
【図４】第２実施形態の導光板の形状を説明する図である。
【図５】第２実施形態の導光板の反射面における光の様子を説明する示す図である。
【図６】第３実施形態の表示装置及び面光源装置を示す図である。
【図７】第３実施形態の導光板の形状を説明する図である。
【図８】第４実施形態の導光板を示す図である。
【図９】成形型の切削の様子を示す図である。
【発明を実施するための形態】
【００２０】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無く、シート、板、フィルムの文言は、適宜置き換えることができるものとする。例えば、導光板は、導光シートや導光フィルムとしてもよい。
さらに、本明細書中に記載する各部材の寸法等の数値及び材料名等は、実施形態としての一例であり、これに限定されるものではなく、適宜選択して使用してよい。
【００２１】
（第１実施形態）
図１は、第１実施形態の表示装置１及び面光源装置１０の構成を示す図である。図１（ａ）は、第１実施形態の表示装置１及び面光源装置１０の斜視図であり、図１（ｂ）は、第１実施形態の表示装置１及び面光源装置１０の断面図である。
表示装置１は、ＬＣＤ（Ｌｉｑｕｉｄ  Ｃｒｙｓｔａｌ  Ｄｉｓｐｌａｙ）パネル１１と、光源部１２と、導光板１３と、プリズムシート１４と、光拡散シート１５と、反射板１６等とを備える液晶透過型表示装置である。この表示装置１は、ＬＣＤパネル１１を背面側から照明することにより、ＬＣＤパネル１１に形成される映像情報を表示する。この表示装置１において、ＬＣＤパネル１１を背面側から照明する面光源装置１０としては、光源部１２、導光板１３、プリズムシート１４、光拡散シート１５、反射板１６が相当する。
【００２２】
ＬＣＤパネル１１は、透過型の液晶表示素子により形成された透過型表示部である。このＬＣＤパネル１１は、略矩形状の略平板状の部材であり、例えば、画面サイズが対角３２インチ（７４０ｍｍ×４２０ｍｍ）、解像度１２８０×７６８画素のものを用いることができる。
本実施形態の表示装置１（ＬＣＤパネル１１）の観察画面は、横長の矩形状である。ここで、表示装置１の使用状態において、観察画面の短辺に平行な方向を画面上下方向（画面鉛直方向）とし、長辺に平行な方向を画面左右方向（画面水平方向）とする。なお、以下の明細書中において、特に断りが無い場合、画面上下方向、画面左右方向とは、表示装置１及び面光源装置１０の使用状態における画面上下方向、画面左右方向であるとする。
また、表示装置１の厚み方向において、ＬＣＤパネル１１側を観察面側とし、反射板１６側を背面側とする。
【００２３】
面光源装置１０は、光源部１２、導光板１３、プリズムシート１４、光拡散シート１５、反射板１６等を備えており、所謂、エッジライト型の面光源装置（バックライト）である。
光源部１２は、ＬＣＤパネル１１の照明する光を発する部分である。光源部１２は、導光板１３の画面上下方向の一方の端面である入光面１３ａに対向する位置に設けられている。本実施形態の光源部１２は、この表示装置１の使用状態において、導光板１３に対して画面上下方向下側に位置しているとして説明するが、画面上下方向上側等に位置していてもよい。
光源部１２は、発光源として、点光源である不図示のＬＥＤ（Ｌｉｇｈｔ  Ｅｍｉｔｔｉｎｇ  Ｄｉｏｄｅ）光源を用いており、このＬＥＤ光源が入光面１３ａに沿って画面左右方向に略等間隔で複数配列されている。なお、光源部１２は、例えば、発光源として冷陰極管等の線光源を用いてもよいし、画面左右方向に伸びるライトガイドの端面に光源を配置した形態としてもよい。また、光源部１２の導光板１３とは反対側等に不図示の反射板を設けてもよい。
【００２４】
導光板１３は、光を導光する略平板状の部材である。
この導光板１３は、光源部１２が発する光を入光面１３ａから入射させ、出光面１３ｃと反射面１３ｄとで全反射させながら他方の面である対向側面１３ｂ側へ導光し、出光面１３ｃからＬＣＤパネル１１側へ出射させる。なお、本実施形態の導光板１３において、光は主として入光面１３ａから入光面１３ａに直交する方向（画面上下方向）に沿って対向側面１３ｂ側へ進む。
導光板１３の出光面１３ｃには、単位プリズム１３１が画面左右方向に複数配列されて形成されている。また、導光板１３の反射面１３ｄには、単位プリズム１３１の配列方向に直交する方向である画面上下方向に、単位光学形状１３２（図２（ｂ）参照）が複数配列されて形成されている。
本実施形態の導光板１３は、光透過性を有するアクリル系樹脂製であり、その屈折率が１．４９である。なお、導光板１３は、これに限らず、ＰＣ（ポリカーボネート）樹脂製や、アクリロニトリル系樹脂製、ポリオレフィン系樹脂製、ガラス製等としてもよい。
この導光板１３の形状の詳細に関しては、後述する。
面光源装置１０の導光板１３の背面側（プリズムシート１４とは反対側）に、光を反射する平板状の反射板１６が設けられている。
【００２５】
プリズムシート１４は、導光板１３よりも観察面側（ＬＣＤパネル１１側）に配置され、導光板１３から出射した光を正面方向（シート面に直交する方向）に集光する作用等を有する光学シートである。
ここで、シート面とは、プリズムシート１４や導光板１３等において、そのプリズムシート１４や導光板１３全体として見たときにおける、プリズムシート１４や導光板１３の平面方向となる面を示すものであり、本明細書中、及び、特許請求の範囲においても同一の定義として用いている。例えば、プリズムシート１４のシート面は、プリズムシート１４全体として見たときにおける、プリズムシート１４の平面方向となる面であり、表示装置１の観察面と平行な面である。
【００２６】
プリズムシート１４は、基材層１４１と、基材層１４１の導光板１３側に複数配列されて形成された単位プリズム１４２とを有している。
この単位プリズム１４２は、背面側（導光板１３側）に凸となる略三角柱形状であり、その長手方向を画面左右方向とし、画面上下方向に複数配列されている。この単位プリズム１４２の配列方向は、導光板１３の単位光学形状１３２の配列方向に平行である。
基材層１４１は、単位プリズム１４２を形成するベースとなる層である。
このプリズムシート１４は、基材層１４１の片面に紫外線硬化型樹脂等の電離放射線硬化型樹脂により単位プリズム１４２が形成されている。
【００２７】
光拡散シート１５は、光を拡散する作用を有する光学シートである。光拡散シート１５は、プリズムシート１４の出射側（ＬＣＤパネル１１側）に配置する例を示しているが、これに限らず、例えば、光拡散シート１５は、プリズムシート１４の導光板１３側に配置してもよい。この光拡散シート１５は、各種汎用の光拡散性を有する光学シートを、面光源装置１０及び表示装置１として所望される光学性能やこの導光板１３と組み合わせて用いる各種光学シートの特性等に合わせて、適宜選択して配置できる。
このような光拡散シート１５を配置することにより、単位プリズム１４２等とＬＣＤパネル１１の不図示の画素とによって生じるモアレ等を低減したり、視野角を適度に広げたりする効果が得られる。
【００２８】
図２は、第１実施形態の導光板１３の形状を説明する図である。図２（ａ）は、導光板１３のシート面に直交し画面左右方向に平行な断面の一部を拡大した図であり、図２（ｂ）は、導光板１３のシート面に直交し画面上下方向に平行な断面の一部を拡大した図である。
導光板１３は、図１及び図２（ａ）に示すように、その出光面１３ｃに出射側に凸である単位プリズム１３１が複数配列されて形成されている。この単位プリズム１３１は、頂角がγである略二等辺三角柱形状であり、その長手方向を画面上下方向とし、画面左右方向に複数配列されている。
単位プリズム１３１の頂角γは、γ＝９０〜１４０°であり、単位プリズムの配列ピッチＰ１＝２０〜２００μｍである。単位プリズム１３１は、同一形状のものが複数配列されているものとしてもよいし、上記範囲を満たすものであって、入光面１３ａ側の単位プリズムの高さが対向側面１３ｂ側よりも低い形態や、入光面１３ａ側端部の頂角が対向側面１３ｂ側の端部の頂角よりも広い形態としてもよい。
【００２９】
導光板１３は、その反射面１３ｄに単位光学形状１３２が複数配列されて形成されている。この単位光学形状１３２は、背面側（反射板１６側）に凸となる略四角柱形状であり、画面左右方向を長手方向とし、画面上下方向に配列されている。
単位光学形状１３２は、図２（ｂ）に示すように、その配列方向に平行であってシート面に直交する断面における断面形状は略台形状である。そして、単位光学形状１３２は、略平面状であり背面側に凸となる頂部である頂面部１３３と、頂面部１３３を挟んで両側に形成される斜面部１３４，１３５とを有している。理解を容易にするために、単位光学形状１３２において頂面部１３３の入光面１３ａ側に位置する斜面部を第１斜面部１３４とし、対向側面１３ｂ側を第２斜面部１３５という。
【００３０】
単位光学形状１３２の頂面部１３３は、導光板１３のシート面と平行である。また、第２斜面部１３５が頂面部１３３（導光板１３のシート面）と成す角度αは、０．３°以上３．０°以下（０．３°≦α≦３．０°）であることが好ましく、本実施形態の角度α＝１．０°であり、単位光学形状１３２の配列方向（導光方向）における位置に依らず一定である。そして、本実施形態の第１斜面部１３４が頂面部１３３となす角度は、第２斜面部１３５が頂面部１３３と成す角度αと等しく、単位光学形状１３２の配列方向における位置に依らず一定である。
さらに、本実施形態では、導光板１３の厚み方向における単位プリズム１３１の頂点から頂面部１３３までの寸法ｔは、配列方向に依らず一定であり。ｔ＝０．５ｍｍである。
【００３１】
単位光学形状１３２において、図２に示すように、第１斜面部１３４よりも第２斜面部１３５の方が、その幅が大きい。また、隣り合う２つの単位光学形状１３２間の第２斜面部１３５とこれに隣接する第１斜面部１３４とはその寸法が等しい。単位光学形状１３２間は、反射面１３ｄ側から見て、画面左右方向に延在するＶ字状の溝となっており、この溝は、単位光学形状１３２の配列方向において、対称な形状となっている。
【００３２】
この単位光学形状１３２は、その配列方向（導光方向）において、光源部１２（入光面１３ａ）から対向側面１３ｂ側に向かうにつれて、その配列ピッチＰ２が次第に大きくなっている。その一方で、頂面部１３３の配列方向における寸法ｗは、単位光学形状１３２の配列方向の位置に依らず一定である。従って、単位光学形状１３２は、単位光学形状１３２の配列方向（導光方向）において光源部１２（入光面１３ａ）から離れて対向側面１３ｂ側へ向かうにつれて、斜面部１３４，１３５の占める寸法が大きくなっている。本実施形態では、頂面部１３３の寸法ｗ＝２０μｍであり、単位光学形状１３２の配列ピッチＰ２は、入光面１３ａ近傍ではＰ２＝５０μｍであり、対向側面１３ｂ近傍ではＰ２＝１５０μｍである。
【００３３】
単位光学形状１３２は、配列ピッチＰ２に対する頂面部１３３の配列方向における寸法ｗの比ｗ／Ｐ２は、０．１≦ｗ／Ｐ２≦０．８を満たすことが好ましい。本実施形態の導光板１３は、入光面１３ａ（光源部１２）近傍の単位光学形状１３２においてｗ／Ｐ２＝０．４であり、対向側面１３ｂ近傍の単位光学形状１３２においてｗ／Ｐ２≒０．１３である。
【００３４】
導光板１３は、前述のアクリル系樹脂やＰＣ樹脂等を用いて押し出し製法により作製される。また、これ以外にも、射出製法や、キャスト製法等によって作製してもよい。また、単位光学形状１３２を賦形する成形型は、切削加工等により形成される。
【００３５】
図３は、第１実施形態の導光板１３内を進む光の様子を示す図である。図３では、面光源装置１０の画面上下方向の断面を示しており、理解を容易にするために、光拡散シート１５や反射板１６等は省略して示している。
一般的に、反射面に単位光学形状等が何も形成されていない略平板状の導光板では、光源部１２から入光面に入射した光は、入光面近傍でその多くが出射するため、入光面側に近い部分が明るく、対向側面側になるにつれて暗くなるという傾向を示し、明るさの面均一性が低い。
そこで、そのような不均一性を解消するために、導光板の反射面に拡散パターン等を設けたものが用いられる場合がある。しかし、そのような拡散パターン等を設けた導光板では、拡散パターンによって光が拡散反射されて出光面から出射するので、光の収束性が低下する。そのため、面光源装置等に用いた場合に、正面輝度が低下する傾向がある。加えて、拡散パターンを反射面に形成するために成形型に別途加工を施したり、反射面に加工を施したりする工程が必要となり、製造コスト増や製造時間増の要因となっていた。
【００３６】
これに対して、本実施形態では、導光方向（画面上下方向）において、導光板１３に入光面１３ａから入射した光の一部は、出光面１３ｃに臨界角未満の角度で入射し、出光面１３ｃから出射するが、それ以外は、第２斜面部１３５や頂面部１３３、出光面１３ｃ等で全反射しながら対向側面１３ｂ側へ進む（光Ｌ１〜Ｌ３参照）。
本実施形態の出光面１３ｃと頂面部１３３とは平行であるため、頂面部１３３で全反射した場合には、出光面１３ｃに対する光の入射角度は、変化しない。しかし、第２斜面部１３５で全反射した光は、第２斜面部１３５が頂面部１３３と角度αをなしているので、出光面１３ｃに対する入射角度が、第２斜面部１３５で全反射する前に比べて、小さくなる（光Ｌ１〜Ｌ３参照）。
【００３７】
そして、第２斜面部１３５で全反射して出光面１３ｃに入射するときに、その角度が臨界角未満であった場合には、出光面１３ｃから出射し、プリズムシート１４の単位プリズム１４２に入射して配列方向において略正面方向へ出射される（光Ｌ１，Ｌ２参照）。
また、第２斜面部１３５で全反射したが出光面１３ｃへの入射角度が臨界角を超える角度であった場合は、再度出光面１３ｃで全反射して反射面１３ｄ側へ向かう（光Ｌ３参照）。単位光学形状１３２のピッチＰ２は単位光学形状１３２の配列方向において次第に大きくなっているので、導光板１３内を光が進むうちに幾度か第２斜面部１３５で全反射し、出光面１３ｃに対する入射角度がしだいに小さくなる。
そして、導光板１３に入射した光は、導光板１３中を対向側面１３ｂ側に進みながら出光面１３ｃや頂面部１３３及び第２斜面部１３５等で全反射を繰り返すうちに、出光面１３ｃへの入射角度が変化し、出光面１３ｃへ臨界角未満の角度で入射した点で、出光面１３ｃから出光する（光Ｌ１〜Ｌ３参照）。
なお、出光面１３ｃから出射する光は、導光板１３の出光面１３ｃに形成された単位プリズム１３１によって、画面左右方向における集光作用を受ける。
【００３８】
ここで、前述のように、第２斜面部１３５が頂面部１３３（導光板１３のシート面）となす角度αは、０．３°≦α≦３．０°を満たすことが好ましい。
角度αが、α＜０．３°である場合、この第２斜面部１３５で全反射した光のシート面（出光面１３ｃ）に対する角度の変化量は小さいため、出光面１３ｃ等で全反射を繰り返しながら導光板１３内を導光し続け、出光面１３ｃから出射する光量が低下し、明るさが低下してしまう。
角度αが、α＞３．０°である場合、出光面１３ｃから出射して行く光の画面上下方向（単位光学形状１３２の配列方向）における出射角度範囲が広くなり、収束性が低下する。そのため、プリズムシート１４の単位プリズム１４２よる光制御作用による集光が不十分となり、面光源装置とした場合、単位光学形状１３２及び単位プリズム１４２の配列方向において、正面方向への集光性が低下する。また、光が入光面１３ａ側近傍で出射する光量が増え、対向側面１３ｂ側へ十分に導光せず、明るさの均一性も低下する。
従って、第２斜面部１３５が頂面部１３３（導光板１３のシート面）となす角度αは、０．３°≦α≦３．０°を満たすことが好ましい。本実施形態の導光板１３の角度αは、１．０°であり、この好ましい範囲を満たしているので、入光面１３ａから入射した光を対向側面１３ｂ側まで十分導光し、導光方向における光の出射量を略均一とし、かつ、導光板１３からの出射光の収束性を十分維持することができる。
【００３９】
本実施形態の導光板１３は、単位光学形状１３２の配列方向（導光方向）において、入光面１３ａから対向側面１３ｂ側に向かうにつれて、単位光学形状１３２中における頂面部１３３が占める比率、すなわち、配列ピッチＰ２に対する頂面部１３３の寸法ｗの比ｗ／Ｐ２が小さくなる。
導光板１３からの光の取り出し効率（出射効率）は、単位光学形状１３２の配列方向において、斜面部１３４，１３５（特に第２斜面部１３５）が占める割合と近似的に正の相関関係を有しており、すなわち、比ｗ／Ｐ２と負の相関関係を有している。従って、本実施形態の導光板１３では、比ｗ／Ｐ２の値が大きい入光面１３ａ側よりも、比ｗ／Ｐ２の値が小さい対向側面１３ｂ側の方が光の取出し効率が高くなっている。これは、比ｗ／Ｐ２が小さい、すなわち、斜面部１３４，１３５の面積が広いと、斜面部（特に、出光面１３ｃからの出射に寄与する第２斜面部１３５）で反射する光量が増えるからである。
本実施形態の導光板１３は、導光方向（単位光学形状１３２の配列方向）において、光量の多い入光面１３ａ側の光の取り出し効率が低く、光量が入光面１３ａ側に比べて少ない対向側面１３ｂ側の光の取り出し効率が高くなっているので、導光方向における光の出射光量を均一化することができ、明るさの均一性を向上できる。
【００４０】
加えて、単位光学形状１３２において、その配列ピッチＰ２に対する頂面部１３３の配列方向における寸法ｗの比ｗ／Ｐ２は、０．１≦ｗ／Ｐ２≦０．８を満たすことが好ましい。
比ｗ／Ｐ２＜０．１である場合には、出光面１３ｃに略平行な頂面部１３３の面積が大きすぎ、斜面部１３４，１３５で反射する光の量が減少する。そのため、斜面部（特に第２斜面部１３５）による光の制御作用が小さくなり、前述のように光の取り出し効率が低下し、十分に光を出光させることができない。
また、比ｗ／Ｐ２＞０．８である場合には、単位光学形状１３２における斜面部１３４，１３５の面積が大きすぎ、光が斜面部（特に第２斜面部１３５）で反射する光の量が大きくなる。そのため、入光面１３ａ側で出射する光量が増え、対向側面１３ｂ側まで十分な光量が導光せず、明るさが不均一になる。また、ここで、この明るさの不均一さを改善するために、角度αを大きくすると、前述のように、光の収束性が低下する。
従って、単位光学形状１３２において、その配列ピッチＰ１に対する頂面部１３３の配列方向における寸法ｗの比ｗ／Ｐ２は、０．１≦ｗ／Ｐ２≦０．８を満たすことが好ましい。本実施形態の導光板１３は、入光面１３ａ側で比ｗ／Ｐ２＝０．４であり、対向側面１３ｂ側で比ｗ／Ｐ２≒０．１３であり、この好ましい範囲を満たしている。
【００４１】
ここで、本実施形態の面光源装置１０と比較例の面光源装置（不図示）との画面上下方向（導光方向）における輝度分布の半値角を比較した。比較例の面光源装置とは、導光板（不図示）が単位光学形状及び単位プリズムを有しておらず、その反射面に拡散作用を有するドットが形成されている点が、本実施形態の面光源装置と異なる以外は、本実施形態と略同様の形態である。
本実施形態の面光源装置１０及び比較例の面光源装置の半値角は、本実施形態の面光源装置１０及び比較例の面光源装置を用意して実際に光源部１２を点灯し、暗室環境下で、画面上下方向（導光方向）における出光角度毎の輝度をゴニオフォトメーター（偏角輝度計：株式会社村上色彩技術研究所製）を用いて測定し、その半値角をそれぞれ求めて比較した。
その結果、比較例の面光源装置では、画面上下方向（光の導光方向）における半値角が±３５°程度であった。これに対して、本実施形態の面光源装置１０では、画面上下方向（光の導光方向であり、単位光学形状１３２の配列方向）における半値角が±１５°程度であり、正面方向への集光性は、比較例の面光源装置よりも高かった。
【００４２】
以上のことから、本実施形態によれば、導光方向における光の出射光量を均一化することができ、かつ、収束性も高い導光板１３とすることができ、明るさの面内均一性が高く正面輝度も高い面光源装置１０及び表示装置１とすることができる。
また、本実施形態によれば、単位光学形状１３２のピッチＰ２は一定ではなく、変化するので、ＬＣＤパネル１１の画素や単位プリズム１４２が配列されたプリズムシート１４等の他の光学部材を導光板１３上に積層した場合に発生しやすいモアレを極力低減できる。従って、モアレが大幅に低減された面光源装置１０とすることができ、高品位な映像を表示可能な表示装置１とすることができる。
【００４３】
さらに、拡散パターンやディンプルパターン等を反射面に形成した導光板では、そのパターンで拡散反射されるため、収束性が低下する場合があるが、本実施形態によれば、第２斜面部１３５によって光を全反射して出光面１３ｃ側から出射するので、高い収束性を発揮でき、面光源装置１０及び表示装置１の正面輝度を向上できる。
加えて、本実施形態によれば、この導光板１３は、略平板状であるので、面光源装置１０及び表示装置１のさらなる薄型化を実現できる。
【００４４】
（第２実施形態）
図４は、第２実施形態の導光板２３の形状を説明する図である。図４（ａ）は、導光板２３のシート面に直交し、単位光学形状２３２の配列方向（画面上下方向）に平行な断面での断面を示す図であり、図４（ｂ）は、図４（ａ）に示す断面の一部を拡大して示した図である。
第２実施形態の導光板２３は、反射面２３ｄに形成される単位光学形状２３２の形状が前述の第１実施形態とは異なる点以外は、第１実施形態の導光板１３と略同様の形態である。従って、前述した第１実施形態の導光板１３と同様の機能を果たす部分には、同一の符号又は末尾に同一の符号を付して、重複する説明を適宜省略する。
また、この第２実施形態の導光板２３は、前述の第１実施形態の導光板１３に換えて、面光源装置１０及び表示装置１に用いることが可能である。
【００４５】
導光板２３は、入光面１３ａ、対向側面１３ｂ、出光面１３ｃ、反射面２３ｄを有している。導光板２３の出光面１３ｃには、単位プリズム１３１が画面左右方向に配列されて形成されている。
導光板２３の反射面２３ｄには、単位光学形状２３２が形成されている。この単位光学形状２３２は、背面側に凸となる略四角柱形状であり、画面左右方向を長手方向とし、画面上下方向に配列されている。
【００４６】
単位光学形状２３２は、その配列方向（導光方向）に平行であってシート面に直交する断面において、背面側に凸となる略台形形状であり、略平面状である頂面部２３３と、頂面部２３３を挟んで両側に形成される斜面部２３４，２３５とを有する。理解を容易にするために、頂面部１３３の入光面１３ａ側に位置する斜面部を第１斜面部２３４とし、対向側面１３ｂ側を第２斜面部２３５という。単位光学形状２３２は、その配列ピッチがＰ２である。この配列ピッチＰ２は、入光面１３ａ側から対向側面１３ｂ側へ向かうにつれて次第に大きくなっており、入光面１３ａ近傍ではＰ２＝１００μｍであり、対向側面１３ｂ近傍ではＰ２＝３００μｍである。
【００４７】
頂面部２３３は、導光板１３のシート面と略平行である。そして、本実施形態では、導光板２３の厚み方向における単位プリズム１３１の頂点から頂面部２３３までの寸法（総厚）ｔは、単位光学形状２３２の配列方向（導光方向）の位置に依らず一定である。本実施形態では、ｔ＝０．５ｍｍである。
頂面部２３３は、単位光学形状２３２の配列方向における寸法ｗが、その配列方向における位置に依らず一定である。本実施形態では、ｗ＝５０μｍである。
単位光学形状２３２は、配列方向における配列ピッチＰ２に対する頂面部２３３の寸法ｗの比ｗ／Ｐ２が、０．１≦ｗ／Ｐ２≦０．８を満たすことが好ましい。本実施形態の単位光学形状２３２は、入光面１３ａ近傍においてｗ／Ｐ２＝０．５であり、対向側面１３ｂ近傍ではｗ／Ｐ２≒０．１７であり、前述の好ましい範囲を満たしている。
【００４８】
第２斜面部２３５が頂面部２３３（導光板２３のシート面）となす角度αは、０．３°≦α≦３．０°を満たすことが好ましい。本実施形態では、単位光学形状２３２の配列方向の位置に依らず角度α＝０．５°であり、好ましい範囲を満たしている。一方、本実施形態の第１斜面部２３４が頂面部２３３となす角度βは、第２斜面部１３５が頂面部１３３（導光板２３のシート面）となす角度αよりも大きく、α＜βであり、配列方向（導光方向）の位置に依らず一定である。この角度βは４３°以上であることが好ましく、本実施形態では、β＝７０°であり、好ましい範囲を満たしている。
図４に示すように、本実施形態では第１斜面部２３４の幅は、第２斜面部２３５の幅よりも小さくなっている。また、単位光学形状２３２間のＶ字状の溝は、単位光学形状２３２の配列方向において非対称である。
【００４９】
図５は、第２実施形態の導光板２３の反射面における光の様子を説明する示す図である。図５（ａ）は、本実施形態の導光板２３を示し、図５（ｂ）は、比較例の導光板２３Ｂを示す。
比較例の導光板２３Ｂの反射面に形成される単位光学形状は、頂面部２３３Ｂ、第１斜面部２３４Ｂ、第２斜面部２３５Ｂを有している。第１斜面部２３４Ｂは、その斜面が対向側面１３ｂ側に向いている。そのため、図５（ｂ）に示すように、第１斜面部２３４Ｂが頂面部２３３Ｂ（導光板２３Ｂのシート面）に対してなす角度が４３度未満であると、出光面１３ｃや頂面部２３３Ｂ等で全反射を繰り返しながら対向側面１３ｂ側に進む光Ｌ４が第１斜面部２３４Ｂに当たりやすくなり、図５（ｂ）に示すように、その光Ｌ４の向きが、導光板２３Ｂの出光面１３ｃへの入射角度が大きくなる方（臨界角を超える方向）へ変化する。
【００５０】
これに対して、本実施形態では、第１斜面部２３４が頂面部２３３となす角度βがα＜βであり、また、β≧４３°であるので、導光板２３内を進む光が反射面２３ｄ側に向かうときに頂面部２３３に対してなす角度よりも第１斜面部２３４面が頂面部２３３に対してなす角度が大きくなるので、図５（ａ）に示すように、出光面１３ｃで全反射して反射面２３ｄ側へ向かう光Ｌ５が第１斜面部２３４に入射することを極力低減し、第１斜面部２３４での反射を大幅に低減する。
従って、本実施形態のように、角度βを、α＜βかつβ≧４３°を満たすものすることにより、導光板２３内を進む光が第１斜面部２３４で反射する光量を大幅に低減し、第２斜面部２３５で反射する光量を増やすことができる。
【００５１】
以上のことから、本実施形態によれば、出光面１３ｃの画面上下方向（単位光学形状２３２の配列方向）における光の出光量をさらに均一化でき、さらに明るさの均一性の高い面光源装置１０及び表示装置１とすることができる。
また、本実施形態においても、薄型化可能であり、モアレの発生がなく、良好な面光源装置及び表示装置とすることができる。
【００５２】
（第３実施形態）
図６は、第３実施形態の表示装置３及び面光源装置３０を示す図である。図６（ａ）は、第３実施形態の表示装置３及び面光源装置３０の斜視図であり、図６（ｂ）は、第３実施形態の表示装置３及び面光源装置３０の断面図である。
第３実施形態の表示装置３及び面光源装置３０は、２つの光源部３２Ａ，３２Ｂ及び導光板３３を備える点が前述の第１実施形態とは異なる以外は、第１実施形態の表示装置１及び面光源装置１０と略同様の形態である。従って、前述した第１実施形態と同様の機能を果たす部分には、同一の符号又は末尾に同一の符号を付して、重複する説明を適宜省略する。
表示装置３は、ＬＣＤパネル１１及び面光源装置３０を備えている。
面光源装置３０は、光源部３２Ａ，３２Ｂ、導光板３３、プリズムシート１４、光拡散シート１５、反射板１６等を備えている。
光源部３２Ａ，３２Ｂは、導光板３３の画面上下方向の両側面に対向する位置に配置されている。光源部３２Ａ，３２Ｂは、第１実施形態の光源部１２と同様の形態のものを用いることができる。
【００５３】
図７は、第３実施形態の導光板３３の形状を説明する図である。図７では、画面上下方向に平行であってシート面に直交する断面での導光板３３の断面を示している。
導光板３３は、入光面３３ａ，３３ｂ、出光面１３ｃ、反射面３３ｄを有している。
入光面３３ａ，３３ｂは、導光板３３の画面上下方向の両側面であり、互いに対向しており、それぞれ光源部３２Ａ，３２Ｂからの光が入射する面である。
出光面１３ｃには、単位プリズム１３１が、画面左右方向に沿って複数配列されて形成されている。
反射面３３ｄには、単位光学形状３３２が複数配列されて形成されている。この単位光学形状３３２は、背面側に凸となる略四角柱形状であり、画面左右方向を長手方向とし、画面上下方向に配列されている。
単位光学形状３３２は、配列方向に平行であってシート面に直交する断面において、背面側に凸となる略台形形状であり、略平面状の頂部である頂面部３３３と、頂面部３３３を挟んで対向する側面である斜面部３３４，３３５とを有している。理解を容易にするために、入光面３３ａ側に位置する斜面部を第１斜面部３３４とし、入光面３３ｂ側に位置する斜面部を第２斜面部３３５という。
【００５４】
頂面部３３３は、導光板１３のシート面と略平行である。従って、本実施形態では、導光板３３の厚み方向における単位プリズム１３１の頂点から頂面部３３３までの寸法ｔは、配列方向に依らず一定である。本実施形態では、ｔ＝０．５ｍｍである。
また、第２斜面部３３５が頂面部３３３（導光板３３のシート面）と成す角度αは、０．３°≦α≦３．０°を満たすことが好ましい。本実施形態では、角度α＝１．０°であり、配列方向（導光方向）の位置に依らず一定であり、好ましい範囲を満たしている。また、第１斜面部３３４が頂面部３３３となす角度もαであり、配列方向（導光方向）の位置に依らず一定である。
従って、前述の第１実施形態と同様に、単位光学形状３３２間のＶ字状の溝は、単位光学形状３３２の配列方向において対称な形状である。
【００５５】
本実施形態の単位光学形状３３２の配列ピッチＰ３は、単位光学形状３３２の配列方向において、入光面３３ａから中央までは、入光面３３ａから離れるにつれて次第に大きくなり、中央から他方の入光面３２ｂに近づくにつれて次第に小さくなる。従って、単位光学形状３３２に配列方向において、その配列ピッチＰ３は、中央が大きく、両入光面３３ａ，３３ｂ側は小さくなっている。
そして、単位光学形状３３２の配列方向において、入光面３３ａから中央までは、第２斜面部３３５の方が第１斜面部３３４よりもその幅が広いが、中央から入光面３３ｂまでは、第１斜面部３３４の方が第２斜面部３３５よりもその幅が広い形状となっている。従って、本実施形態の導光板３３の反射面３３ｄの形状は、単位光学形状３３２の配列方向において、その中央（配列方向における導光板３３の中点）を軸として対称な形状となっている。
【００５６】
単位光学形状３３２は、その配列方向における配列ピッチＰ３に対する頂面部３３３の寸法ｗの比ｗ／Ｐ３が、０．１≦ｗ／Ｐ３≦０．８を満たすことが好ましい。本実施形態の単位光学形状２３２は、入光面３３ａ，３３ｂ近傍においてＰ３＝７０μｍ、配列方向中央においてＰ３＝２００μｍ、頂面部３３３の寸法ｗ＝４０μｍであり、入光面３３ａ，３３ｂ近傍においてｗ／Ｐ３≒０．５７、配列方向における中央ではｗ／Ｐ３＝０．２であり、前述の好ましい範囲を満たしている。
【００５７】
本実施形態によれば、２つの光源部３２Ａ，３２Ｂを用いる２灯式の面光源装置３０及び表示装置３においても、単位光学形状３３２の配列方向における出光面１３ｃからの光の出射光量を均一化でき、収束性が高く、明るさの面均一性の高い面光源装置３０及び表示装置３とすることができる。従って、表示装置３は、高品位な映像を表示できる。
また、薄型化が実現可能であり、モアレの発生もなく、良好な面光源装置３０、表示装置とすることができる。
【００５８】
（第４実施形態）
図８は、第４実施形態の導光板４３の形状を説明する図である。図８では、画面上下方向に平行であってシート面に直交する断面での導光板４３の断面を示している。
第４実施形態の導光板４３は、シート面に直交する方向における単位プリズム１３１の頂点から単位光学形状４３２間のＶ字状の溝の底となる点までの寸法ｔ２が一定であり、単位光学形状４３２の高さΔｔが配列方向において入光面側から対向側面側に向かうにつれて大きくなる形態である点が前述の第１実施形態の導光板１３とは異なる以外は、第１実施形態の導光板１３と略同様の形態である。この導光板４３は、前述の第１実施形態の導光板１３に換えて、面光源装置１０及び表示装置１に用いられる。従って、前述した第１実施形態と同様の機能を果たす部分には、同一の符号又は末尾に同一の符号を付して、重複する説明を適宜省略する。
【００５９】
導光板４３は、入光面１３ａ、対向側面１３ｂ、出光面１３ｃ、反射面４３ｄを有している。
出光面１３ｃには、単位プリズム１３１が、画面左右方向に沿って複数配列されて形成されている。
反射面４３ｄには、単位光学形状４３２が複数配列されて形成されている。この単位光学形状４３２は、背面側に凸となる略四角柱形状であり、画面左右方向を長手方向とし、画面上下方向に配列されている。
この導光板４３は、シート面に直交する方向における単位プリズム１３１の頂点から単位光学形状４３２間のＶ字状の溝の底となる点までの寸法ｔ２が一定であり、本実施形態では、ｔ２＝０．５ｍｍである。
【００６０】
単位光学形状４３２は、頂面部４３３と斜面部４３４，４３５を有している。理解を容易にするために、入光面１３ａ側に位置する斜面部を第１斜面部４３４とし、対向側面１３ｂ側に位置する斜面部を第２斜面部４３５という。
単位光学形状４３２の頂部となる頂面部４３３は、シート面に平行であり、入光面１３ａから離れるにしたがって、背面側に凸となる量Δｔが大きくなる。しかし、角度αが十分小さく、その突出量Δｔの変化量も小さい。従って、単位光学形状４３２の配列方向における導光板４３の厚みの変化は小さく、導光板４３は、略平板状とみなすことができる。
【００６１】
また、第２斜面部４３５が頂面部４３３（導光板４３のシート面）と成す角度αは、０．３°≦α≦３．０°を満たすことが好ましい。本実施形態では、角度α＝１．０°であり、配列方向（導光方向）の位置に依らず一定であり、好ましい範囲を満たしている。また、第１斜面部４３４が頂面部４３３となす角度もαであり、配列方向（導光方向）の位置に依らず一定である。従って、前述の第１実施形態と同様に、単位光学形状４３２間のＶ字状の溝は、単位光学形状４３２の配列方向において対称な形状である。
また、単位光学形状４３２は、その配列方向における配列ピッチＰ２に対する頂面部４３３の寸法ｗの比ｗ／Ｐ２が、０．１≦ｗ／Ｐ２≦０．８を満たすことが好ましい。本実施形態の単位光学形状４３２は、入光面１３ａ近傍ではＰ２＝７０μｍであり、対向側面１３ｂ近傍ではＰ２＝２００μｍ、頂面部の寸法ｗ＝４０μｍであり、入光面１３ａ近傍においてｗ／Ｐ２≒０．５７、対向側面１３ｂ近傍においてｗ／Ｐ２＝０．２であり、前述の好ましい範囲を満たしている。
【００６２】
単位光学形状４３２を賦形する成形型は、切削加工等により形成可能である。
図９は、成形型の切削の様子を示す図である。
単位光学形状４３２を成形する凹状の型９１は、頂面形成部８１と斜面形成部８２，８３とを有するバイト８０により、成形型９０を切削加工することにより形成される。このバイト８０の頂面形成部８１と斜面形成部８２，８３とがなす角度は、単位光学形状４３２の頂面部４３３と斜面部４３４，４３５とがなす角度αに等しい。バイト８０の頂面形成部８１によって凹状の型９１の頂面部９０３が形成され、斜面形成部８２，８３によって凹状の型９１の斜面部９０４，９０５が形成される。
このようなバイト８０を用いて切削の深さ及び配列ピッチを変化させながら切削加工を行うことにより、単位光学形状４３２を賦形する凹状の型９１を容易に作製できる。しかも、用いるバイト８０は１種類であり、拡散パターンを賦形する等の加工は不要であるので、成形型の製造が容易かつ安価に行え、導光板４３等の製造コストを低減することができる。
【００６３】
以上のことから、本実施形態によれば、単位光学形状４３２を形成する成形型は、同一の切削工具を用いて、その切削深さやピッチを変化させることにより作製可能であるので、成形型の作製が容易である。従って、製造コストの低減を図ることができ、安価で大量に導光板４３を作製することができる。
また、本実施形態においても、導光方向（単位光学形状４３２の配列方向）における光の出射光量を均一化することができ、かつ、収束性も高い導光板４３とすることができ、明るさの面内均一性が高く正面輝度の高い面光源装置及び表示装置とすることができる。
加えて、本実施形態によれば、この導光板４３は、略平板状であるので、面光源装置１０及び表示装置１のさらなる薄型化を実現できる。
さらに、本実施形態においても、モアレの発生がなく、良好な面光源装置及び表示装置とすることができる。
【００６４】
なお、本実施形態のように、単位光学形状４３２の高さΔｔが変化することにより総厚が変化する導光板４３とした場合にも、前述の第２実施形態及び第３実施形態に示した単位光学形状２３２，３３２のような形状の単位光学形状を適用することができる。
【００６５】
（変形形態）
以上説明した各実施形態に限定されることなく、種々の変形や変更が可能であって、それらも本発明の範囲内である。
（１）各実施形態において、面光源装置１０，３０は、導光板１３，２３，３３，４３よりもＬＣＤパネル１１側（観察面側）に、プリズムシート１４、光拡散シート１５等を備える例を示したが、これに限らず、プリズムシート１４の導光板１３，２３，３３，４３側又はＬＣＤパネル１１側に、各種レンズ形状やプリズム形状が形成された他の光学シート等を組み合わせ配置してもよいし、プリズムシート１４の背面側（導光板側）やＬＣＤパネル１１側に、光拡散シート等を配置してもよい。また、プリズムシート１４以外の光学シートを用いてもよいし、光拡散シート１５を用いなくてもよい。
使用環境や所望の光学性能に合わせて、面光源装置１０，３０として導光板１３，２３，３３，４３と組み合わせて用いる各種光学シート等は、適宜選択して用いることができる。
【００６６】
（２）各実施形態において、導光板１３，２３，３３，４３は、その出光面１３ｃに単位プリズム１３１ではなく、略半円柱や略半楕円柱形状の単位レンズを、単位光学形状１３２，２３２，３３２，４３２の配列方向とは直交する方向に配列してもよい。また、導光板の出光面に、複数種類のレンズを組み合わせたものを複数配列してもよい。
【００６７】
（３）各実施形態において、反射板１６は、平行平板状であり、導光板１３，２３，３３，４３とは別体である例を示したが、これに限らず、例えば、導光板１３，２３，３３，４３の反射面側に一体に形成されていてもよい。なお、この場合の反射板の反射面は、鏡面反射を主とするものが好ましい。
【００６８】
なお、本実施形態及び変形形態は、適宜組み合わせて用いることもできるが、詳細な説明は省略する。また、本発明は以上説明した各実施形態によって限定されることはない。
【符号の説明】
【００６９】
１，３    表示装置
１０，３０    面光源装置
１１    ＬＣＤパネル
１２，３２Ａ，３２Ｂ    光源部
１３，２３，３３，４３    導光板
１３ａ，３３ａ，３３ｂ    入光面
１３ｂ    対向側面
１３ｃ    出光面
１３ｄ，２３ｄ，３３ｄ，４３ｄ    反射面
１３１    単位プリズム
１３２，２３２，３３２，４３２    単位光学形状
１３３，２３３，３３３，４３３    頂面部
１３４，２３４，３３４，４３４    斜面部（第１斜面部）
１３５，２３５，３３５，４３５    斜面部（第２斜面部）
１４    プリズムシート
１５    光拡散シート
【図１】
2012164583.tif 000003
【図２】
2012164583.tif 000004
【図３】
2012164583.tif 000005
【図４】
2012164583.tif 000006
【図５】
2012164583.tif 000007
【図６】
2012164583.tif 000008
【図７】
2012164583.tif 000009
【図８】
2012164583.tif 000010
【図９】
2012164583.tif 000011